(57)【要約】【課題】乳房収納部３へ乳房１５を入出するための乳房入出口１７が開口した前面板７を有するガントリ２と、ガントリ２内に乳房収納部３を挟んで対向して設けられた放射線発生管８及び放射線検出器１１と、乳房収納部３の内側を通る回転軸Ｄの周りに放射線発生管８及び放射線検出器１１を同一角速度で回転させる回転駆動部とを有するマンモ断層撮影装置において、放射線の被検者Ｐ側への漏洩防止と、放射線照射領域１３を被検者Ｐの乳房１５の付根部まで及ぼすことによる乳房１５の付根部までの放射線撮影とを両立可能とする。【解決手段】乳房収納部３と放射線放出部１０の間で回転軸Ｄの周りを放射線発生管８と同期して回転するコリメータ１２と、コリメータ１２の回転経路よりも放射線発生管８の回転経路の側の前面板７の内面を覆う放射線遮蔽体１４とを設け、コリメータ１２の回転経路において、コリメータ１２の前面板７と対向する側の端部が放射線遮蔽体１４の表面より前面板７の側に入り込んだ構成とする。【選択図】図２
2015097691.tif 000002
【特許請求の範囲】
【請求項１】
乳房収納部へ乳房を入出するための乳房入出口が開口した前面板を有するガントリと、
前記ガントリの内側に設けられ、放射線放出部を有する放射線発生管と、
前記ガントリの内側に、前記乳房収納部を挟んで前記放射線放出部と対向して設けられた放射線検出器と、
前記乳房収納部の内側を通って、前記乳房収納部への乳房の入出方向に延びる回転軸の周りに、前記放射線発生管及び前記放射線検出器を同一角速度で同方向に回転させる回転駆動部とを有し、
前記放射線放出部から前記乳房収納部を介して前記放射線検出器へ向けて放射線を照射するマンモ断層撮影装置であって、
前記乳房収納部と前記放射線放出部との間で、前記回転軸の周りを前記放射線発生管及び前記放射線検出器と同期して回転するコリメータと、
前記乳房入出口の周囲を囲んで、少なくとも前記コリメータの回転経路よりも前記放射線放出部の回転経路の側の前記前面板の内面に設けられた環状の放射線遮蔽体とを有し、
前記コリメータは、前記前面板と対向する側に端部を有し、前記コリメータの回転経路において、前記コリメータの前記端部が前記放射線遮蔽体の表面より前記前面板の側に入り込んでいることを特徴とするマンモ断層撮影装置。
【請求項２】
前記コリメータの前記端部は、全回転経路に亘り、前記放射線遮蔽体の表面より前記前面板の側に入り込んでいることを特徴とする請求項１に記載のマンモ断層撮影装置。
【請求項３】
前記放射線遮蔽体が、前記乳房入出口との間に隙間を開けて設けられていると共に、前記コリメータの前記端部が前記隙間の内側に入り込んでいることを特徴とする請求項１または２に記載のマンモ断層撮影装置。
【請求項４】
前記放射線遮蔽体が、前記乳房入出口の側の内周放射線遮蔽体と、前記放射線放出部の回転経路側の外周放射線遮蔽体とに分かれて、両者間に隙間を開けて設けられていると共に、前記コリメータの前記端部が前記隙間の内側に入り込んでいることを特徴とする請求項１または２に記載のマンモ断層撮影装置。
【請求項５】
前記放射線検出器が、前記隙間に隣接して設けられており、前記放射線検出器が隣接する前記隙間を埋めて、前記回転軸の周りを前記放射線検出器と同期して同方向に回転する放射線副遮蔽体が設けられていることを特徴とする請求項３又は４に記載のマンモ断層撮影装置。
【請求項６】
前記コリメータが、前記回転軸の周りの回転半径方向において、回転外周側に凸に湾曲していることを特徴とする請求項１乃至５のいずれか一項に記載のマンモ断層撮影装置。
【請求項７】
前記コリメータの曲率中心が前記回転軸と一致していることを特徴とする請求項６に記載のマンモ断層撮影装置。
【請求項８】
前記コリメータが区画している放射線透過部の前記前面板の側が開放されていることを特徴とする請求項１乃至７のいずれか一項に記載のマンモ断層撮影装置。
【発明の詳細な説明】
【技術分野】
【０００１】
本発明は、コンピュータ断層撮影（ＣＴ撮影）を行う断層撮影装置に関し、特に乳房の撮影に用いるマンモ断層撮影装置（マンモＣＴ装置）に関する。
【背景技術】
【０００２】
従来、触診と超音波診断を用いて乳がん検査を行っていたが、ＣＴ撮影を使った三次元（３Ｄ）画像により乳房撮影を行なうことができるマンモＣＴ装置が開発されてきた。
【０００３】
特許文献１は、マンモＣＴ装置の一例を開示している。特許文献１に開示されたマンモＣＴ装置は、乳房入出口が開いた天板と、乳房入出口の周りを水平方向に回転する測定装置部と、Ｘ線発生装置と、放射線検出器とで構成されている。ＣＴ撮影時、被検者は天板に俯せに寝そべり、乳房入出口から乳房収納部に乳房を挿入した状態で撮影が行なわれる。撮影は、Ｘ線照射領域を規定するコリメータを内蔵したＸ線発生装置と放射線検出器が乳房収納部内を通る回転軸の周りを回転しながら、所定角度位置ごとに行われ、各方向から見た被検体のＸ線透過画像を取得する。また、天板の下面にはＸ線の人体への漏洩を遮断するためのＸ線遮蔽板が取り付けられている。
【先行技術文献】
【特許文献】
【０００４】
【特許文献１】米国特許第６９８７８３１号明細書
【発明の概要】
【発明が解決しようとする課題】
【０００５】
特許文献１のようなマンモＣＴ装置においては、天板上面に被検者の胸骨を当てながら乳房を乳房入出口から乳房収納部に挿入する。これにより、乳房収納部に照射されるＸ線の照射エリア内に乳房が重なることで、放射線検出器上にＸ線透過像を投影し撮影することが可能となる。前述のマンモＣＴ装置では、胸骨側の乳房（付根部）も極力撮影可能となるように、Ｘ線照射エリアを天板側に近付ける必要がある。
【０００６】
一方で、前述のＸ線照射エリアから被検者側へのＸ線の漏洩を防止しなければいけない。特許文献１におけるＸ線発生装置は、Ｘ線照射エリアを規定するコリメータを、Ｘ線発生装置の焦点近傍に一体に内蔵した構成となっている。しかし、Ｘ線発生装置に内蔵されたコリメータは、放射線検出器から離れた位置に存在するため、Ｘ線照射領域よりも外側の広い範囲にＸ線の半陰影が生じてしまう。このため、Ｘ線発生装置に内蔵されたコリメータだけでは被検者へのＸ線の漏洩に繋がってしまう問題がある。
【０００７】
Ｘ線遮蔽体でＸ線透過部を開口として規定したコリメータを放射線検出器に近い位置に設けることで、上記のような半陰影の発生を抑制しつつＸ線照射領域を規定し、被検者へのＸ線の漏洩を防止することが考えられる。
【０００８】
ところで、Ｘ線照射領域を天板側に近付けるためには、コリメータを天板側に近付ける必要がある。しかし、天板からのＸ線の漏洩防止のために天板の内側に配置されたＸ線遮蔽体と干渉するため、ある一定量以上にはコリメータを天板側に近付けることができない。
【０００９】
そこで本発明の目的は、Ｘ線に代表される放射線を用いたマンモＣＴ装置において、放射線の被検者側への漏洩防止と、放射線照射領域を被検者の乳房付根部まで及ぼすことによる乳房付根部までの放射線撮影とを両立可能とすることにある。
【課題を解決するための手段】
【００１０】
本発明は、上記目的のために、乳房収納部へ乳房を入出するための乳房入出口が開口した前面板を有するガントリと、
前記ガントリの内側に設けられ、放射線放出部を有する放射線発生管と、
前記ガントリの内側に、前記乳房収納部を挟んで前記放射線放出部と対向して設けられた放射線検出器と、
前記乳房収納部の内側を通って、前記乳房収納部への乳房の入出方向に延びる回転軸の周りに、前記放射線発生管及び前記放射線検出器を同一角速度で同方向に回転させる回転駆動部とを有し、
前記放射線放出部から前記乳房収納部を介して前記放射線検出器へ向けて放射線を照射するマンモＣＴ装置であって、
前記乳房収納部と前記放射線放出部との間で、前記回転軸の周りを前記放射線発生管及び前記放射線検出器と同期して回転するコリメータと、
前記乳房入出口の周囲を囲んで、少なくとも前記コリメータの回転経路よりも前記放射線放出部の回転経路の側の前記前面板の内面に設けられた環状の放射線遮蔽体とを有し、
前記コリメータは、前記前面板と対向する側に端部を有し、前記コリメータの回転経路において、前記コリメータの前記端部が前記放射線遮蔽体の表面より前記前面板の側に入り込んでいることを特徴とするマンモＣＴ装置を提供するものである。
【発明の効果】
【００１１】
本発明によれば、乳房収納部と放射線発生管の放射線放出部との間にコリメータを設けることで、コリメータの位置を放射線検出器に近付けることができ、放射線照射領域の外側に広がる放射線の半陰影を抑制することができる。また、少なくともコリメータの回転経路よりも放射線放出部の回転経路の側の前面板の内面に環状の放射線遮蔽体が設けられているので、コリメータで放射線照射領域を規制する時に発生する散乱放射線が被験者側へ漏洩することを防止することができる。そして、これらによって、被験者側への放射線の漏洩量を抑制することができる。
【００１２】
一方、本発明においては、コリメータの回転経路において、コリメータの前面板と対向する側の端部が、放射線遮蔽体の表面より前面板の側に入り込んでいる。つまり、放射線遮蔽体に接してコリメータを設けた場合に比しても、最大で放射線遮蔽体の厚さ分コリメータを前面板に近付けることができ、放射線照射領域を前面板に近付けることができる。そして、これにより、放射線照射領域を被検者の乳房付根部まで及ぼすことによる乳房付根部までの放射線撮影が可能となる。また、コリメータでの放射線の規制時に発生する散乱放射線の被験者側への漏洩をしにくくすることもできる。
【図面の簡単な説明】
【００１３】
【図１】マンモ断層撮影装置（マンモＣＴ装置）の全体斜視図である。
【図２】本発明の第１の例のマンモＣＴ装置の断面図で、（ａ）は図１におけるＸ方向から見た断面図、（ｂ）は図１におけるＹ方向から見た断面図である。
【図３】図２（ａ）における放射線発生管からコリメータ周りの拡大図である。
【図４】本発明のマンモＣＴ装置の撮影システムの構成図である。
【図５】本発明の第２の例のマンモＣＴ装置の断面図で、（ａ）は図１におけるＸ方向から見た断面図、（ｂ）は図１におけるＹ方向から見た断面図である。
【図６】本発明の第３の例のマンモＣＴ装置の断面図で、（ａ）は図１におけるＸ方向から見た断面図、（ｂ）は図１におけるＹ方向から見た断面図である。
【図７】本発明の第３の例におけるコリメータの拡大斜視図である。
【図８】本発明の第４の例のマンモＣＴ装置の断面図で、（ａ）は図１におけるＸ方向から見た断面図、（ｂ）Ｙ方向から見た断面図である。
【図９】本発明の第４の例のマンモＣＴ装置断面図で、（ａ）は図１におけるＸ方向から見た断面図、（ｂ）は図１におけるＹ方向から見た断面図である。
【発明を実施するための形態】
【００１４】
以下、図面を参照しながら本発明を実施するための形態について説明する。なお、以下に参照する図面において、同じ符号は同様の構成要素を示す。
【００１５】
〔第１の例〕
＜マンモＣＴ装置の概要＞
図１乃至図３に示されるように、マンモ断層撮影装置（マンモＣＴ装置）１は、内部に放射線源やコリメータ１２などが収納された部屋を構成するガントリ２を有している。また、ガントリ２の中心部に、被検者Ｐが乳房１５を挿入するための乳房収納部３を備えている。なお、４は支持部である。
【００１６】
ガントリ２は、乳房収納部３を囲む内周板５と、外周を囲む外周板６と、前面側で内周板５と外周板６とを接続する前面板７と、背面側を覆う不図示の背面板とを有する中空円盤状部材である。前面板７には、乳房収納部３へ乳房１５を入出するための乳房入出口１７が開口している。ガントリ２の内側には、放射線発生管８と、放射線検出器１１と、後述するコリメータとが回転板（不図示）に支持されており、ＣＴ撮影時に、回転駆動部１０１（図４参照）により三者一体で回転される構成となっている。この回転は、乳房収納部３の内側を通って、乳房収納部３への乳房１５の入出方向（Ｚ方向）に延びる回転軸Ｄ周りに行われる。放射線発生管８、放射線検出器１１及びコリメータ１２は同一角速度で回転されることになる。マンモＣＴ装置１での撮影時、被検者Ｐはガントリ２の前面板７の表面側から、乳房入出口１７から乳房収納部３へ乳房１５を挿入し、この姿勢を維持しながらＣＴ撮影を行う。なお、本例のマンモＣＴ装置１は、前面板７を縦にして設置し、前面板７の前に被験者Ｐが立って検査を受ける形式のものである。しかし、本発明に係るマンモＣＴ装置１は、前面板７を横にして設置して前面板７を背景技術で説明した天板とし、前面板７上に被験者が俯せに横たわって検査を受ける形式のものとすることもできる。この場合、内周板５を省略することも可能である。
【００１７】
＜放射線発生管＞
図２及び図３に示されるように、放射線発生管８は、透過型放射線発生管であり、電子線を発生させる電子銃９と、放射線放出部１０とを備えている。電子銃９としては、例えば熱フィラメントタイプの電子発生源を用いることができる。放射線放出部１０は、放射線透過性の支持基板上に、電子銃９からの電子線の照射により放射線を発生させるターゲット層を積層した透過型ターゲットを備えている。支持基板を構成する材料は、ターゲット層を支持できる強度を有し、ターゲット層で発生した放射線の吸収が少なく、かつターゲット層で発生した熱をすばやく放熱できるよう熱伝導率の高いものが好ましい。例えばダイアモンド、炭化シリコン、窒化アルミニウム等を用いることができる。ターゲット層を構成する材料は、融点が高く、放射線発生効率の高いものが好ましく、例えばタングステン、タンタル、モリブデン及びそれらの合金等を用いることができる。放射線発生管８は、回転駆動部１０１（図４参照）によって回転する不図示の回転板に支持されており、回転板の回転により、乳房収納部３への乳房１５の入出方向に延びる回転軸Ｄの周りに回転するものとなっている。
【００１８】
＜放射線検出器＞
放射線検出器１１は、乳房収納部３を挟んで放射線発生管８の放射線放出部１０と対向する位置に設けられている。本例における放射線検出器１１のセンサーエリアは、通常、後述するコリメータ１２などにより規定された放射線照射領域１３と一致するサイズである。本例でのセンサーエリアの形状は放射線照射領域１３の形状に合わせて四角形となっている。また、放射線検出器１１は、放射線発生管８と共に、回転駆動部１０１（図４参照）によって回転する不図示の回転板に支持されている。放射線検出器１１は、回転板の回転により、乳房収納部３への乳房１５の入出方向に延びる回転軸Ｄの周りに、放射線発生管８と同一角速度で同方向に回転するものとなっている。
【００１９】
＜コリメータ＞
図２及び図３に示されるように、放射線発生管８の放射線放出部１０と乳房収納部３の中間位置には、放射線発生管８の放射線放出部１０から放射される放射線の照射領域１３を規定するコリメータ１２が配置されている。コリメータ１２は、放射線発生管８及び放射線検出器１１を支持している不図示の回転板に支持されており、ＣＴ撮影時に放射線発生管８及び放射線検出器１１と同期して同方向に回転する。
【００２０】
透過型ターゲットのターゲット層で発生した放射線は、ターゲット層と、ターゲット層を保持する支持基板を透過して外部に照射される。放射線発生管８の放射線放出部１０から放出される放射線の放出範囲は、放射線発生管８の放射線放出部１０に設けられた不図示の前方遮蔽体で規制されるものとなっている。放射線照射領域１３は、放射線放出部１０と乳房収納部３の間に設けたコリメータ１２で更に規定されたものとなっている。
【００２１】
放射線は、放射線検出器１１に向けて照射され、検出器１１上で略四角形になるようにコリメータ１２が区画している放射線透過部により放射線照射領域１３が規定されて、放射線検出器１１上に到達する。この時、被検者Ｐの乳房１５が放射線照射領域１３に入った時は、乳房１５の放射線透過像が放射線検出器１１に到達し、乳房１５の内部に含まれる、乳腺、脂肪の透過像が得られる。コリメータ１２の材質としては、放射線の遮蔽能力を有する鉛、タングステン、タンタル、レニウムなどの重金属が適している。
【００２２】
本発明においてコリメータ１２とは、放射線発生管８の放射線放出部１０から放出された放射線の一部を遮って、放射線照射領域１３の外周の一部又は全周を規制する、放射線遮蔽性材料で構成された部材をいう。コリメータ１２は、放射線透過部を開口部として区画する放射線遮蔽性材料の枠材で構成することができる。コリメータ１２を、放射線透過部の前面板７側が開放された形状である平面コ字形、Ｕ字形又はニ字形の枠材とすると、放射線照射領域１３を前面板７側に近付けやすい。放射線透過部の全周が放射線遮蔽性材料の枠材で囲まれた平面ロ字形のコリメータ１２の場合、前面板７側への余剰の放射線の漏洩を遮断しやすい。また、コリメータ１２は、放射線発生管８とは別体で、乳房収納部３に近付けて配置することができるので、放射線発生管８と一体のコリメータ場合のように、乳房収納部３から離れた位置でコリメートした場合に生じやすい半陰影を小さくすることができる。
【００２３】
＜放射線遮蔽体＞
図２及び図３に示されるように、ガントリ２の前面板７の内側には、乳房入出口１７の周囲を囲んで、板状の放射線遮蔽体１４が設けられている。放射線遮蔽体１４は、コリメータ１２の回転経路と、放射線発生管８の回転に伴う放射線放出部１０の回転経路との間の前面板７に沿い、放射線照射領域１３と被検者Ｐとを隔離するように設けられている。放射線遮蔽体１４は、乳房入出口１７及びこれに連なる乳房収納部３に対応する中央部が打ち抜かれた環状をなしている。放射線遮蔽体１４は、放射線発生管８の放射線放出部１０から被検者Ｐへの放射線の直接照射や、コリメータ１２に放射線が当たった時に生じる散乱放射線などが被検者Ｐへ漏洩することを防止するためのものである。放射線遮蔽体１４の材質としては、放射線の遮蔽能力の高い鉛、タングステン、タンタル、レニウムなどの重金属が適している。また、放射線遮蔽体１４は、一般的には円環状であるが、楕円環状、矩形環状などとすることもできる。
【００２４】
放射線遮蔽体１４を、コリメータ１２の回転経路よりも放射線放出部１０の回転経路の側の前面板７の内面に配置することで、被験者Ｐへの余剰な放射線の照射を防止することができる。具体的には、放射線発生管８から被検者Ｐへ直接照射される放射線や、コリメータ１２に放射線が照射されることで発生する散乱放射線の被検者Ｐへの漏洩を防止することができる。放射線遮蔽体１４は、コリメータ１２の回転経路よりも放射線放出部１０の回転経路の側の前面板７の内面全体を覆っていることが好ましい。
【００２５】
本例における放射線遮蔽体１４は、乳房入出口１７との間に隙間１４ｃを開けて設けられていると共に、コリメータ１２がこの隙間１４ｃに対応する位置に設けられている。また、図３に示されるように、コリメータ１２の全回転経路に亘り、コリメータ１２の前面板７に対向する側の端部が、放射線遮蔽体１４の表面より前面板７の側に入り込んでいる。つまり、コリメータ１２の前面板７と対向する側の端部が前記隙間１４ｃの内側に入り込んでいる。このような配置により、Ｚ方向から見た時に、コリメータ１２の前面板７に対向する側の端部が放射線遮蔽体１４の肉厚内に入り込んだ状態となっている。このため、放射線遮蔽体１４に邪魔されることなく、コリメータ１２をガントリ２の前面板７に近付けることができ、放射線照射領域１３を前面板７に近付けて、乳房１５の付根部までの広い範囲のＣＴ撮影が可能となる。また、上記のように、コリメータ１２の前面板７に対向する側の端部が放射線遮蔽体１４の肉厚とオーバーラップしているので、コリメータ１２と放射線遮蔽体１４との間からの放射線の漏れも抑制することができる。
【００２６】
本実施形態においては、コリメータ１２の前面板７に対向する側の端部は、コリメータ１２の全回転経路に亘って、放射線遮蔽体１４の表面より前面板７の側に入り込んでいる配置としているが、本発明はこれに限定されない。本発明は、コリメータ１２の前面板７に対向する側の端部は、少なくとも、コリメータ１２の回転経路において、放射線遮蔽体１４の表面より前面板７の側に入り込んでいる配置とすれば良い。例えば、コリメータ１２、放射線発生管８、及び、放射線検出器１１が、曝射動作の期間外に予備的な回転を行う回転経路を有する場合は、該予備的な回転経路においては、必ずしも、前述の配置をとる必要は無い。
【００２７】
＜マンモＣＴ装置の撮影システム＞
図４は、本発明のマンモＣＴ装置の撮影システムの構成図である。
【００２８】
システム制御装置１００は、放射線発生管８とその駆動回路１０２を備えた放射線発生装置１０３と、放射線検出器１１と、回転駆動部１０１を連携制御する。駆動回路１０２は、システム制御装置１００による制御の下に、放射線発生管８に各種の制御信号を出力する。回転駆動部１０１は、放射線発生管８などを支持する回転体の位置を検出するための位置検出センサー１０４からの位置情報と、システム制御装置１００による制御の下に前述の不図示の回転板を所定量駆動するための駆動制御信号を出力する。前述の制御信号により、回転駆動部１０１を所定量回転させながら、放射線発生装置１０３から放出される放射線の放出状態が制御される。放射線発生装置１０３から放出された放射線は、コリメータ１２などで部分的に遮蔽され、乳房１５を透過して放射線検出器１１で検出される。放射線検出器１１は、検出した放射線を画像信号に変換して信号処理部１０５に出力する。信号処理部１０５は、システム制御装置１００による制御の下に、画像信号に所定の信号処理を施し、処理された画像信号をシステム制御装置１００のなかの画像処理部１０６で各回転位置により撮影された画像情報からＣＴ画像が生成される。放射線発生管８を、図２の乳房収納部３の周りを一回転させながら複数枚撮影された前記ＣＴ画像を画像合成部で合成させることで立体画像を生成し、表示部で立体画像をスクリーンに表示させることができる。
【００２９】
〔第２の例〕
図５は第２の例に係るマンモＣＴ装置を示している。本例では、中心部が打ち抜かれた環状の放射線遮蔽体１４が、乳房入出口１７の側の内周放射線遮蔽体１４ｂと、放射線発生管８の放射線放出部１０の回転経路側の外周放射線遮蔽体１４ａとに分かれて、両者間に隙間１４ｃを開けて設けられている。また、コリメータ１２は上記隙間１４ｃに対応する位置に設けられており、コリメータ１２の全回転経路に亘り、コリメータ１２の前面板７と対向する側の端部が、外周放射線遮蔽体１４ａの表面より前面板７の側に入り込んでいる。つまり、コリメータ１２の前面板７と対向する側の端部が前記隙間１４ｃ内に入り込んでいる。これらの点以外は前述の第１の例と同様である。
【００３０】
以上の様な構成にすることで、前記第１の例と同様に、被検体Ｐへの放射線の漏洩を抑制しつつ、コリメータ１２をガントリ２の前面板７に近付けることで、放射線照射領域１３を前面板７に近付け、乳房１５の付根部までの広い範囲のＣＴ撮影が可能となる。また。コリメータ１２を放射線発生管８側にレイアウトすることで、コリメータ１２を小さく、軽いもので済ますことができるようにすることができる。
【００３１】
〔第３の例〕
図６及び図７に示されるように、本例のコリメータ１２は立体的に湾曲している形状となっている。具体的には、図６に示される回転軸Ｄの周りの回転半径方向において、回転外周側に凸に湾曲している。それ以外は前述の第１の例と同様である。
【００３２】
このようにすることによって、乳房入出口１７と放射線遮蔽部材１４との間に開けた隙間１４ｃの幅を小さくすることができ、この領域からの放射線の漏洩を抑制することができる。この隙間１４ｃの幅を最も狭くすることができることから、コリメータ１２の曲率中心が回転軸Ｄと一致していることが最も好ましい。
【００３３】
〔第４の例〕
図８に示されるように、上記第３の例と同様の湾曲したコリメータ１２とした以外は前述の第２の例と同様である。
【００３４】
このようにすることによって、第２の例と第３の例の利点を併せ持つマンモＣＴ装置とすることができる。
【００３５】
〔第５の例〕
図９に示されるように、第３の例と同様に、放射線遮蔽体１４は、乳房入出口１７との間に隙間１４ｃを開けて設けられていると共に、湾曲したコリメータ１２がこの隙間１４ｃに対応する位置に設けられている。また、放射線検出器１１が、前記隙間１４ｃに隣接して設けられており、少なくとも放射線検出器１１が隣接するこの隙間１４ｃを埋めて、回転軸Ｄの周りを放射線検出器１１と同期して同方向に回転する放射線副遮蔽体１６が設けられている。
【００３６】
このような放射線副遮蔽体１６を設けておくと、放射線検出器１１に放射線が照射されることで発生する散乱放射線が、放射線検出器１１に隣接する前記隙間１４ｃ部分から漏洩することを抑制することができる。放射線副遮蔽体１６は、放射線遮蔽体１４と同様の材質で構成することができる。
【００３７】
上記効果を最も高める上で、コリメータ１２の曲率中心を回転軸Ｄと一致させ、放射線副遮蔽体１６の曲率中心も回転軸Ｄと一致させておくことが最も好ましい。本例は、放射線副遮蔽体１６を第３の例に適用したものとなっているが、放射線副遮蔽体１６は、第４の例に適用したり、コリメータ１２が湾曲していない第１の例や第２の例に適用することもできる。
【符号の説明】
【００３８】
１：マンモ断層撮影装置（マンモＣＴ装置）、２：ガントリ、３：乳房収納部、４：支持部、５：内周板、６：外周板、７：前面板、８：放射線発生管、９：電子銃、１０：放射線放出部、１１：放射線検出器、１２：コリメータ、１３：放射線照射領域、１４：放射線遮蔽体、１４ａ：外周放射線遮蔽体、１４ｂ：内周放射線遮蔽体、１４ｃ：隙間、１５：乳房、１６：放射線副遮蔽体、１００：システム制御装置、１０１：回転駆動部、１０２：駆動回路、１０３：放射線発生装置、１０４：位置検出センサー、１０５：信号処理部、１０６：画像処理部、１０７：回転駆動制御部、１０８：放射線発生管制御部、１０９：画像記憶部、１１０：画像合成部、１１１：表示部、Ｐ：被検者、Ｄ：回転軸
【図１】
2015097691.tif 000003
【図２】
2015097691.tif 000004
【図３】
2015097691.tif 000005
【図４】
2015097691.tif 000006
【図５】
2015097691.tif 000007
【図６】
2015097691.tif 000008
【図７】
2015097691.tif 000009
【図８】
2015097691.tif 000010
【図９】
2015097691.tif 000011